(57)【要約】【課題】特殊再生であるか否かにかかわらず、次の再生時点以降のシーンのサムネイルを次の再生時点において表示することが可能な技術を提供することを目的とする。【解決手段】再生状態取得部１１７は、映像コンテンツ再生部１５１で再生されている映像コンテンツの現在の再生時点及び再生速度を取得する。サムネイル管理部１０６は、現在の再生時点及び再生速度に基づいて、映像コンテンツの、現在の再生時点の次に再生されるべき次の再生時点以降のシーンについてのサムネイルを選択する。サムネイル取得部１５２は、サムネイル管理部１０６で選択されたサムネイルを、映像コンテンツの次の再生時点の映像に対応させて表示可能にすべく、ネットワークを介して映像コンテンツ供給装置１１５から当該サムネイルを取得する。【選択図】図１
2013016946.tif 000002
【特許請求の範囲】
【請求項１】
映像コンテンツ、及び、当該映像コンテンツの各シーンに対応するサムネイルに基づいて表示装置に映像を表示する映像表示装置であって、
ネットワークを介して外部装置から前記映像コンテンツを取得する映像コンテンツ取得部と、
前記映像コンテンツ取得部で取得された前記映像コンテンツを再生する映像コンテンツ再生部と、
前記映像コンテンツ再生部で再生されている前記映像コンテンツの現在の再生時点及び再生速度を取得する再生状態取得部と、
前記現在の再生時点及び前記再生速度に基づいて、前記映像コンテンツの、前記現在の再生時点の次に再生されるべき次の再生時点以降の前記シーンについての前記サムネイルを選択するサムネイル管理部と、
前記サムネイル管理部で選択された前記サムネイルを、前記映像コンテンツの前記次の再生時点の映像に対応させて表示可能にすべく、ネットワークを介して外部装置から当該サムネイルを取得するサムネイル取得部と
を備える映像表示装置。
【請求項２】
請求項１に記載の映像表示装置であって、
前記サムネイル管理部は、
前記再生速度に基づいて、前記サムネイルを選択すべき、前記映像コンテンツ上での時間帯の長さを変更する、映像表示装置。
【請求項３】
請求項２に記載の映像表示装置であって、
前記サムネイル管理部は、
複数の前記サムネイルが１つの前記時間帯に属する場合に、当該複数のサムネイルの中から早い時点のサムネイルを選択する、映像表示装置。
【請求項４】
請求項２に記載の映像表示装置であって、
前記サムネイル管理部は、
第１の前記時間帯の中から選択すべき第１の前記サムネイルの時点と、前記第１の時間帯と隣接する第２の前記時間帯の中から選択すべき第２の前記サムネイルの時点との間隔を、一定間隔に近づける、映像表示装置。
【請求項５】
請求項２乃至請求項４のいずれかに記載の映像表示装置であって、
前記サムネイル管理部は、
前記サムネイルのデコードにかかる時間を加味して前記時間帯の長さを変更する、映像表示装置。
【請求項６】
映像コンテンツ、及び、当該映像コンテンツの各シーンに対応するサムネイルに基づいて表示装置に映像を表示する映像表示方法であって、
（ａ）ネットワークを介して外部装置から前記映像コンテンツを取得する工程と、
（ｂ）前記工程（ａ）で取得された前記映像コンテンツを再生する工程と、
（ｃ）前記工程（ｂ）で再生されている前記映像コンテンツの現在の再生時点及び再生速度を取得する工程と、
（ｄ）前記工程（ｃ）で取得された前記現在の再生時点及び前記再生速度に基づいて、前記映像コンテンツの、前記現在の再生時点の次に再生されるべき次の再生時点以降の前記シーンについての前記サムネイルを選択する工程と、
（ｅ）ネットワークを介して外部装置から、前記工程（ｄ）で選択された前記サムネイルを取得する工程と、
（ｆ）ユーザーからの前記サムネイルの表示要求があった場合に、前記工程（ｅ）で取得された前記サムネイルを、前記映像コンテンツの前記次の再生時点の映像に対応させて前記表示装置に表示する工程と
を備える映像表示方法。
【請求項７】
請求項６に記載の映像表示方法であって、
前記工程（ｄ）において、
前記再生速度に基づいて、前記サムネイルを選択すべき、前記映像コンテンツ上での時間帯の長さを変更する、映像表示方法。
【請求項８】
請求項７に記載の映像表示方法であって、
前記工程（ｄ）において、
複数の前記サムネイルが前記時間帯に属する場合に、当該複数のサムネイルの中から早い時点のサムネイルを選択する、映像表示方法。
【請求項９】
請求項７に記載の映像表示方法であって、
前記工程（ｄ）において、
第１の前記時間帯の中から選択すべき第１の前記サムネイルの時点と、前記第１の時間帯と隣接する第２の前記時間帯の中から選択すべき第２の前記サムネイルの時点との間隔を、一定間隔に近づける、映像表示方法。
【請求項１０】
請求項７乃至請求項９のいずれかに記載の映像表示方法であって、
前記工程（ｄ）において、
前記サムネイルのデコードにかかる時間を加味して前記時間帯の長さを変更する、映像表示方法。
【発明の詳細な説明】
【技術分野】
【０００１】
本発明は、ネットワークなどを介して、映像コンテンツとサムネイルとを外部装置から取得し、これらに基づいて映像を表示する映像表示装置及び映像表示方法に関するものである。
【背景技術】
【０００２】
近年、映像の記録及び再生を行う映像記録再生装置において、映像コンテンツがどのような映像から構成されているかを視覚的に把握することができるように、当該映像コンテンツの各シーンを代表する静止画（以下「サムネイル」）を表示する手段が知られている。
【０００３】
こうしたサムネイル表示手段は、ＤＬＮＡ（Digital Living Network Alliance）などのホームネットワーク規格によって映像記録装置と再生装置とが接続された映像表示システム、または、ＶＯＤ（Video On Demand）と呼ばれるインターネットを介した映像配信サービスを用いる映像表示システムにおいても望まれている。具体的には、ネットワークを介して映像コンテンツを外部装置から取得し、当該映像コンテンツに基づいて映像を表示する映像表示装置においても、サムネイルを表示することが望まれている。
【０００４】
このような映像表示装置の中には、映像コンテンツだけでなく、再生している映像コンテンツに対応するサムネイルも、外部装置からネットワークを介して取得するものがある。
【０００５】
しかしながら、ネットワークの帯域が狭い場合、サムネイルの取得に時間がかかり、当該サムネイルを表示するまでに時間がかかったり、表示が間に合わなかったりすることがある。また、近年、サムネイルの高画質化が行われ、サムネイルのデータサイズが大きくなってきており、サムネイルの取得時間がさらに長くなってきているという問題がある。
【０００６】
そこで、サムネイルの表示を迅速にするための技術が様々に提案されている。例えば、特許文献１には、映像の再生中にシーンの区切りを検出し、その区切りにおける画像をサムネイルとして記憶装置に保持する技術が開示されている。この技術によれば、再生処理が終了したシーンのサムネイルを自身に保持していることから、ユーザーによりサムネイルの表示要求がなされた場合に、当該サムネイルについては迅速に表示することが可能となっている。
【先行技術文献】
【特許文献】
【０００７】
【特許文献１】特開２００６−１４８７３１号公報
【発明の概要】
【発明が解決しようとする課題】
【０００８】
しかしながら、特許文献に１に記載の映像表示装置においては、初めて再生する映像コンテンツについて、現在の再生時点より後のシーンのサムネイルは未取得である。したがって、サムネイルの表示要求がなされてから、現在の再生時点より後のシーンのサムネイルの取得が行われることから、当該サムネイルについては迅速に表示できないという問題がある。
【０００９】
また、一般的に、サムネイルの表示要求があった場合には、再生時点のシーンと他のシーンとの繋がりを分かり易くするため、現在の再生時点のシーン及びその前後のシーンについてのサムネイルを表示することが一般的である。つまり、現在の再生時点より後のシーンに対応するサムネイルについても、数枚分は表示できるようにすることが求められている。
【００１０】
しかしながら、従来の映像表示装置においては、早送りなどの特殊再生を行っているときに、このような複数のサムネイルの表示をしようとしても、サムネイルの取得が間に合わないことがあり、現在の再生時点より後のサムネイルのみならず、現在の再生時点でのサムネイルを表示することができないことがあった。
【００１１】
そこで、本発明は、上記のような問題点を鑑みてなされたものであり、特殊再生であるか否かにかかわらず、次の再生時点以降のシーンのサムネイルを次の再生時点において表示することが可能な技術を提供することを目的とする。
【課題を解決するための手段】
【００１２】
本発明に係る映像表示装置は、映像コンテンツ、及び、当該映像コンテンツの各シーンに対応するサムネイルに基づいて表示装置に映像を表示する映像表示装置であって、ネットワークを介して外部装置から前記映像コンテンツを取得する映像コンテンツ取得部と、前記映像コンテンツ取得部で取得された前記映像コンテンツを再生する映像コンテンツ再生部とを備える。また、前記映像表示装置は、前記映像コンテンツ再生部で再生されている前記映像コンテンツの現在の再生時点及び再生速度を取得する再生状態取得部と、前記現在の再生時点及び前記再生速度に基づいて、前記映像コンテンツの、前記現在の再生時点の次に再生されるべき次の再生時点以降の前記シーンについての前記サムネイルを選択するサムネイル管理部とを備える。また、前記映像表示装置は、前記サムネイル管理部で選択された前記サムネイルを、前記映像コンテンツの前記次の再生時点の映像に対応させて表示可能にすべく、ネットワークを介して外部装置から当該サムネイルを取得するサムネイル取得部を備える。
【発明の効果】
【００１３】
本発明によれば、現在の再生時点及び再生速度に基づいて、現在の再生時点の次に再生されるべき次の再生時点以降のシーンについてのサムネイルを選択し、当該選択したサムネイルを、映像コンテンツの次の再生時点の映像と表示可能に取得する。したがって、特殊再生であっても、次の再生時点以降のシーンのサムネイルの取得を、次の再生時点までに間に合わせることができることから、次の再生時点以降のシーンのサムネイルを次の再生時点において表示することができる。
【図面の簡単な説明】
【００１４】
【図１】実施の形態１に係る映像表示装置の構成例を示すブロック図である。
【図２】サムネイルリストの一例を示す図である。
【図３】実施の形態１に係る映像表示装置の表示を示す図である。
【図４】実施の形態１に係る映像表示装置の動作を示すフローチャートである。
【図５】実施の形態１に係る映像表示装置の動作を示す図である。
【図６】実施の形態１に係る映像表示装置の動作を示す図である。
【図７】実施の形態１に係る映像表示装置の動作を示すフローチャートである。
【図８】実施の形態２に係る映像表示装置の動作を示す図である。
【図９】実施の形態２に係る映像表示装置の動作を示す図である。
【図１０】実施の形態２に係る映像表示装置の動作を示す図である。
【図１１】実施の形態２に係る映像表示装置の動作を示すフローチャートである。
【発明を実施するための形態】
【００１５】
＜実施の形態１＞
図１は、本発明の実施の形態１に係る映像表示装置１０１の構成例を示すブロック図である。この映像表示装置１０１は、ネットワークを介して接続された映像コンテンツ供給装置１１５（外部装置）から、映像コンテンツと、当該映像コンテンツの各シーンに対応するサムネイルとを取得し、当該映像コンテンツ及び当該サムネイルに基づいてモニター１１６（表示装置）に映像を表示する。しかも、本実施の形態の映像表示装置１０１によれば、早送りなどの特殊再生にかかわらず、サムネイルを適切に表示することが可能となっている。
【００１６】
以下、このような映像表示装置１０１の構成要素について詳細に説明する。なお、上述したように、この映像表示装置１０１によれば、映像コンテンツ及びサムネイルが表示されるが、ここでは、まず、映像コンテンツに関する構成要素について説明し、その後、サムネイルに関する構成要素について後述する。
【００１７】
映像表示装置１０１には、ユーザーがリモコン１１８を用いて映像表示装置１０１を遠隔操作できるようにするためのリモコンコード受信部１１４が設けられている。リモコンコード受信部１１４は、リモコン１１８から赤外線等により送信された、ユーザーからの要求内容及び指定内容を示すリモコンコードを受信し、当該リモコンコードをシステム制御部１０２に出力する。
【００１８】
システム制御部１０２は、映像表示装置１０１の状態を把握し、その状態遷移を制御する。また、システム制御部１０２は、リモコンコード（制御信号）をリモコンコード受信部１１４から受け、ユーザーからの要求が映像コンテンツの再生であれば、再生アプリ１０３を起動する。再生アプリ１０３は、ユーザーにより指定された映像コンテンツを再生すべく、再生制御部１０４を制御する。
【００１９】
再生制御部１０４は、再生アプリ１０３の制御に応じて、ユーザーから指定された映像コンテンツを再生すべく、入力ストリーム制御部１０５を制御する。入力ストリーム制御部１０５は、再生制御部１０４の制御に応じて、ネットワークマネージャ１１３に、ユーザーから指定された映像コンテンツを映像コンテンツ供給装置１１５から取得するように要求する。
【００２０】
ここで、映像表示装置１０１の通信先である映像コンテンツ供給装置１１５は、ネットワークマネージャ１１５ａと、映像コンテンツ・サムネイル記録部１１５ｂとを備えている。映像コンテンツ・サムネイル記録部１１５ｂには、複数の映像コンテンツ、複数のサムネイル、及び、後述するサムネイルリスト等が蓄積されている。ネットワークマネージャ１１５ａは、ネットワークを介してネットワークマネージャ１１３と通信可能となっており、ネットワークマネージャ１１３（映像表示装置１０１）からの要求に応じて、映像コンテンツ・サムネイル記録部１１５ｂに蓄積されている上述の情報や、ＨＴＭＬ等のドキュメントによる制御信号等をネットワークマネージャ１１３に配信可能となっている。つまり、ネットワークマネージャ１１３は、必要に応じて、映像コンテンツ供給装置１１５から様々な情報を取得することが可能となっている。
【００２１】
さて、映像コンテンツ取得部であるネットワークマネージャ１１３は、ユーザーから指定された映像コンテンツについて取得要求を入力ストリーム制御部１０５から受けると、ネットワークを介して映像コンテンツ供給装置１１５から、当該指定された映像コンテンツを取得する。入力ストリーム制御部１０５は、ネットワークマネージャ１１３で取得された映像コンテンツを、ＡＶストリーム記録部１１９に格納する。ＡＶデコーダ１０８は、ＡＶストリーム記録部１１９に格納された映像コンテンツをデコードする。ＡＶ表示部１０９は、ＡＶデコーダ１０８によりデコードされた映像コンテンツの映像をモニター１１６にて表示する。
【００２２】
以上のような再生制御部１０４、入力ストリーム制御部１０５、ＡＶストリーム記録部１１９、ＡＶデコーダ１０８及びＡＶ表示部１０９は、本実施の形態において映像コンテンツ再生部１５１を構成している。このように構成された映像コンテンツ再生部１５１は、ネットワークマネージャ１１３で取得された映像コンテンツを再生するものとなっている。なお、以下の説明においては、映像コンテンツ再生部１５１で再生されている映像コンテンツを、「再生中の映像コンテンツ」と呼ぶこともある。
【００２３】
ＡＶ表示部１０９は、上述したようにＡＶデコーダ１０８によりデコードされた映像コンテンツの映像をモニター１１６にて表示する。したがって、映像コンテンツ再生部１５１で再生された映像コンテンツの映像がモニター１１６にて表示される。
【００２４】
なお、映像コンテンツ再生部１５１により映像コンテンツが再生されると、再生制御部１０４は、再生中の映像コンテンツの現在の再生時点及び再生速度を監視する。ここで、現在の再生時点とは、再生中の映像コンテンツにおいて現在再生している時点を指す。再生速度とは、再生中の映像コンテンツが、通常再生か、または、早送り、早戻しなどを何倍速で行っているかなどといった、再生中の映像コンテンツの映像を切り替えていく速さと方向とを指す。なお、再生速度は、例えば、ユーザーによるリモコン１１８の操作により変更可能である。
【００２５】
以上で説明した構成要素を備える本実施の形態に係る映像表示装置１０１が、映像コンテンツを再生する処理について以下説明する。
【００２６】
まず、ユーザーにより所望の映像コンテンツがリモコン１１８において指定されると、再生アプリ１０３は、システム制御部１０２の制御に応じて再生制御部１０４に所望の映像コンテンツの再生を指示する。再生制御部１０４は、再生アプリ１０３からの指示に応じて、入力ストリーム制御部１０５に所望の映像コンテンツの取得及び再生を指示する。ネットワークマネージャ１１３は、入力ストリーム制御部１０５からの指示に応じて、映像コンテンツ供給装置１１５から所望の映像コンテンツを取得する。入力ストリーム制御部１０５は、ネットワークマネージャ１１３で取得された所望の映像コンテンツをＡＶストリーム記録部１１９に格納し、ＡＶデコーダ１０８は、ＡＶストリーム記録部１１９に格納された所望の映像コンテンツをデコードする。ＡＶ表示部１０９は、デコードされた所望の映像コンテンツの映像をモニター１１６に表示する。
【００２７】
次に、サムネイルに関する構成要素について説明する。なお、本実施の形態において、サムネイルに関する動作としては、映像コンテンツ供給装置１１５からのサムネイルの選択・取得と、サムネイルの表示とがある。前者のサムネイルの選択・取得はユーザーからのサムネイル表示要求によらずに行われ、後者のサムネイルの表示はユーザーからのサムネイル表示要求がなされてから行われる。ここでは、まず、サムネイルの選択・取得に関する構成要素について説明し、その後、サムネイルの表示に関する構成要素について説明する。
【００２８】
サムネイル管理部１０６（映像表示装置１０１）は、映像コンテンツ供給装置１１５に蓄積されている映像コンテンツ、当該映像コンテンツの各シーンに対応するサムネイルのファイル名、及び、当該各シーンの開始時点を示すリスト（以下「サムネイルリスト」と呼ぶ）を、ネットワークマネージャ１１３等を介して映像コンテンツ供給装置１１５から取得する。
【００２９】
図２は、サムネイルリストの一例を示す図である。この図に示されるサムネイルリスト３０１は、映像コンテンツタイトルリスト３０２と、サムネイルファイル名リスト３０３と、開始時点情報３０４とから構成されている。映像コンテンツタイトルリスト３０２は、映像コンテンツ・サムネイル記録部１１５ｂ内に蓄積されている映像コンテンツの一覧を示している。映像コンテンツタイトルリスト３０２の１つの映像コンテンツに含まれる複数のシーンに対して、複数枚のサムネイルがそれぞれ対応付けられており、そのファイル名が、サムネイルファイル名リスト３０３において示されている。また、各サムネイルが対応するシーンの、映像コンテンツの時間軸上での開始時点が、開始時点情報３０４において示されている。
【００３０】
例えば、ＴｉｔｌｅＢというタイトルの映像コンテンツが、ユーザーによって指定された場合、サムネイル管理部１０６は、サムネイルリスト３０１からＴｉｔｌｅＢに対応するサムネイルファイル名リスト３０３と、開始時点情報３０４とを取得する。そして、サムネイル管理部１０６は、取得したサムネイルファイル名リスト３０３から、ＴｉｔｌｅＢが、ＴｉｔｌｅＢ００１．ｊｐｇ、ＴｉｔｌｅＢ００２．ｊｐｇ、ＴｉｔｌｅＢ００３．ｊｐｇ、ＴｉｔｌｅＢ００４．ｊｐｇ、…というファイル名のサムネイルを持つ、という情報を取得する。また、サムネイル管理部１０６は、開始時点情報３０４から、それぞれのサムネイルに対応するシーンの開始する時点が、ＴｉｔｌｅＢ００１．ｊｐｇは１０秒、ＴｉｔｌｅＢ００２．ｊｐｇは１分、ＴｉｔｌｅＢ００３．ｊｐｇは１分２０秒、ＴｉｔｌｅＢ００４．ｊｐｇは１分２７秒、…という情報を取得する。
【００３１】
サムネイル管理部１０６は、以上のようなサムネイルリスト３０１から、映像コンテンツ供給装置１１５に蓄積されている映像コンテンツと、当該映像コンテンツの各シーンに対応するサムネイルのファイル名と、当該各シーンの開示時点とを取得することができる。本実施の形態では、サムネイル管理部１０６は、このようなサムネイルリスト３０１を参照することにより、後述するように、映像コンテンツ供給装置１１５から取得すべきサムネイルの選択、及び、サムネイル表示要求がなされたときに表示すべきサムネイルの決定を適切に行うことが可能となる。なお、本実施の形態では、このサムネイルリスト３０１を取得するタイミングが、映像コンテンツの取得前に行われるものとして説明するが、これに限ったものではなく、映像コンテンツ供給装置１１５から取得すべきサムネイルを選択する前であればよい。
【００３２】
さて、映像コンテンツ再生部１５１により映像コンテンツが再生されると、再生状態取得部１１７は、再生制御部１０４から、再生中の映像コンテンツについて現在の再生時点及び再生速度を取得し、これらをサムネイル管理部１０６に渡す。なお、図１においては、再生状態取得部１１７は独立したブロックとして図示されているが、システム制御部１０２内、または、再生制御部１０４内に設けられてもよい。
【００３３】
サムネイル管理部１０６は、サムネイルリスト３０１を参照しながら、再生状態取得部１１７により取得された上述の現在の再生時点及び再生速度に基づいて、映像コンテンツ供給装置１１５から取得すべきサムネイルを選択する。このサムネイル管理部１０６での選択については後で詳細に説明する。サムネイル管理部１０６は、選択したサムネイルを取得するようにサムネイル取得制御部１０７に指示する。
【００３４】
サムネイル取得制御部１０７は、当該指示に応じて、当該サムネイルを取得するようにネットワークマネージャ１１３に要求する。ネットワークマネージャ１１３は、サムネイル取得制御部１０７からの要求に応じて、映像コンテンツ供給装置１１５からネットワークを介して、当該サムネイルを取得する。
【００３５】
以上のようなサムネイル取得制御部１０７及びネットワークマネージャ１１３は、本実施の形態においてサムネイル取得部１５２を構成している。このように構成されたサムネイル取得部１５２は、サムネイル管理部１０６で選択されたサムネイルを、ネットワークを介して映像コンテンツ供給装置１１５から取得するものとなっている。
【００３６】
サムネイル取得部１５２で取得されたサムネイルは、サムネイル管理部１０６を介して、グラフィックデコーダ１１０に渡される。グラフィックデコーダ１１０は当該サムネイルをデコードし、デコードしたサムネイルをサムネイル記録部１２０に格納する。ただし、デコードするタイミングはこれに限ったものではなく、デコード前のサムネイルをサムネイル記録部１２０に一時的に格納しておいて、ユーザーからのサムネイル表示要求がなされてから、グラフィックデコーダ１１０が、サムネイル記録部１２０に格納されているサムネイルをデコードするものであってもよい。しかし、サムネイル表示要求から少しでも迅速にサムネイルを表示することができるように、サムネイルのデコードのタイミングは、ユーザーからのサムネイル表示要求がなされる前、例えば、サムネイル取得部１５２が、サムネイル管理部１０６を介してサムネイルをグラフィックデコーダ１１０に渡した直後であるほうがよい。
【００３７】
以上の構成要素を備える本実施の形態に係る映像表示装置１０１は、ユーザーからのサムネイル表示要求によらずに、映像コンテンツが再生された時点からサムネイルの選択・取得を行う。
【００３８】
次に、サムネイルの表示に関する構成要素について説明する。
【００３９】
上述したように、サムネイルの表示は、サムネイル表示要求がなされてから行われる。本実施の形態では、リモコン１１８に「サムネイル表示」という専用ボタンが設けられており、この「サムネイル表示」ボタンが押下げされることにより、サムネイル表示要求がなされる。
【００４０】
システム制御部１０２は、リモコン１１８等を介して、サムネイル表示要求を受けた場合に、サムネイル管理部１０６を制御する。サムネイル管理部１０６は、システム制御部１０２の制御に応じて、再生制御部１０４から、再生中の映像コンテンツのタイトルと現在の再生時点とを取得する。そして、サムネイル管理部１０６は、サムネイルリスト３０１を参照しつつ、当該タイトルと当該現在の再生時点とに基づいて、サムネイル記録部１２０に格納されている複数のサムネイルから表示すべき複数のサムネイルを決定し、当該複数のサムネイルをサムネイル表示部１１１に渡す。サムネイル表示部１１１は、当該サムネイルを画像化する。グラフィックス重畳部１１２は、再生中の映像コンテンツの映像上に、サムネイル表示部１１１により画像化されたサムネイルを重ねる。そして、当該サムネイルが重ねられた映像がモニター１１６にて表示される。
【００４１】
以上のような構成要素を備える映像表示装置１０１は、映像コンテンツの映像のみがモニター１１６に表示されている際に、ユーザーによりサムネイル表示要求がリモコン１１８においてなさると、サムネイル管理部１０６により決定されたサムネイルを、当該映像に重畳させて表示する。
【００４２】
図３は、映像コンテンツの映像とサムネイルとが重畳されてモニター１１６に表示されている様子を示す図である。図３には、ＡＶ表示部１０９からの再生中の映像コンテンツであってＡＶストリームのデコード映像である再生映像２００に、画像化されたサムネイルであるグラフィックス画像２１０が重畳された映像が示されている。つまり、グラフィックス画像２１０は、サムネイル記録部１２０に格納されたサムネイルのうち、サムネイル管理部１０６で決定されたサムネイルが画像化されたものである。
【００４３】
サムネイルを選択・取得する動作については後で詳細に説明するものとし、ここでは、サムネイルを表示する操作について簡単に説明する。なお、前提として、すでにサムネイル管理部１０６により選択されたサムネイルがサムネイル記録部１２０に格納されているものとする。
【００４４】
まず、ユーザーによりサムネイル表示要求がリモコン１１８においてなされると、当該サムネイル表示要求を受けたシステム制御部１０２等の制御に応じて、再生制御部１０４が、再生中の映像コンテンツのタイトルと現在の再生時点とをサムネイル管理部１０６に伝える。サムネイル管理部１０６は、サムネイルリスト３０１を参照しつつ、当該タイトル及び当該現在の再生時点に基づいて、サムネイル記録部１２０から、現在の再生時点のシーンのサムネイルと、それに前後するサムネイルとを含む複数のサムネイル（ここでは５枚のサムネイル）を決定し、当該複数のサムネイルをサムネイル表示部１１１に渡す。サムネイル表示部１１１が、サムネイル管理部１０６から渡された各サムネイルをグラフィックス画像２１０として展開し、グラフィックス重畳部１１２が、再生映像２００上に各グラフィックス画像２１０を重ね、モニター１１６が、それによって得られた映像を表示する。
【００４５】
図３においては、現在の再生時点のシーンとして、シーンＳＣ１７が表示されている状態を示している。ここでは、現在の再生時点のシーンＳＣ１７のサムネイル（グラフィックス画像２１０）が中央に、シーンＳＣ１７より前の２つのシーンＳＣ１５，ＳＣ１６のサムネイルが左側に、シーンＳＣ１７より後の２つのシーンＳＣ１８，ＳＣ１９のサムネイルが右側に配置されており、合計５つのサムネイルが表示されている。なお、現在の再生時点のシーンのサムネイルは、他のシーンのサムネイルと区別可能となっており、例えば、図３に示すように、現在の再生時点のシーンのサムネイルの四角形の外枠は、他のサムネイルの四角形の外枠よりも太くなっている。
【００４６】
現在の再生時点がシーンＳＣ１８に移った場合には、シーンＳＣ１８を中心とし、それに前後する合計５枚のサムネイル、つまり、シーンＳＣ１６〜ＳＣ２０のサムネイルが表示される。
【００４７】
このような表示によれば、ユーザーは、現在のシーンと前後のシーンとをサムネイルによって視認できる。したがって、表示されているサムネイルをシーン検索用のサムネイルとして使用すれば、視聴したいシーンを容易に検索することができる。
【００４８】
図４は、本実施の形態に係る映像表示装置１０１の動作を説明するためのフローチャートである。以下、映像表示装置１０１の動作について説明する。
【００４９】
まず、ステップＳ１にて、システム制御部１０２は、表示すべき映像コンテンツがユーザーのリモコン１１８操作によって指定されたかを判断する。指定されていない場合には待機し、指定された場合にはステップＳ２に進む。
【００５０】
ステップＳ２にて、サムネイル管理部１０６は、サムネイル取得制御部１０７に指示するなどして、指定された映像コンテンツに属するサムネイルリスト３０１（図２）をネットワークから取得する。取得されたサムネイルリスト３０１は、映像表示装置１０１内の記憶部（図示せず）に保持される。サムネイル管理部１０６は、取得したサムネイルリスト３０１を参照することにより、後のステップで行う、取得すべきサムネイルの選択や、表示すべきサムネイルの決定が可能となる。
【００５１】
ステップＳ３にて、ネットワークマネージャ１１３は、映像コンテンツ供給装置１１５からネットワークを介して、指定された映像コンテンツを取得する。続いて、ステップＳ４にて、映像コンテンツ再生部１５１は、ステップＳ３で取得した映像コンテンツの再生を開始する。
【００５２】
ステップＳ５にて、ステップＳ４で開始された映像コンテンツの再生が終了しているかを判断する。再生が終了していると判断した場合には、映像コンテンツの再生、及び、サムネイルの表示は終了となる。一方、再生中であると判断した場合には、ステップＳ６に進む。
【００５３】
ステップＳ６にて、サムネイル管理部１０６は取得すべきサムネイルを選択し、サムネイル取得部１５２は、当該選択されたサムネイルを取得する。取得されたサムネイルは、サムネイル記録部１２０に保持される。
【００５４】
ステップＳ７にて、ユーザーからのサムネイル表示要求がすでになされているかを判断する。サムネイル表示要求がなされていると判断した場合にはステップＳ８に進む。ステップＳ８にて、ステップＳ６でサムネイル記録部１２０に保持されているサムネイルのうち、サムネイル管理部１０６により表示すべきサムネイルを決定し、当該サムネイルを再生映像２００に重畳してモニター１１６にて表示する。
【００５５】
一方、ステップＳ７にて、サムネイル表示要求がなされていないと判断した場合には、サムネイルは再生映像２００に重畳させずに、ステップＳ５に戻る。このようにステップＳ５〜Ｓ７を繰り返すことで、映像コンテンツの再生を行いつつ、ユーザーに気づかれないようにバックグラウンドでサムネイルを次々に取得することが可能となっている。
【００５６】
さて、以上のような本実施の形態に係る映像表示装置１０１によれば、ステップＳ８において、図３に示すような現在の再生時点のサムネイルを中心とした複数のサムネイルを表示することが可能となっている。しかも、映像コンテンツにおいて早送りや早戻しなどの特殊再生が行われている場合においても、このようなサムネイル表示を実現することが可能となっている。具体的には、例えば、早送りの場合には、再生中の映像コンテンツの再生時点は高速に正方向に移っていき、早戻しの場合には、当該再生時点は高速に逆方向に移っていくが、これらの場合であっても、通常再生と同様に、現在の再生時点を中心としたサムネイルを表示することが可能となっている。
【００５７】
ただし、このようなサムネイルの表示をステップＳ８で行うためには、それより前のステップＳ６にて、映像表示装置１０１が映像コンテンツ供給装置１１５から表示すべきサムネイルを選択・取得しておく必要がある。しかし、ネットワークの帯域が狭い場合など、取得可能なサムネイルの枚数が制限される場合に、サムネイルの選択・取得が適切でなければ、図３に示すような現在の再生時点以降のシーンのサムネイルを表示することができない。
【００５８】
例えば、２０倍速、６０倍速などの高速での早送りを行っているときにサムネイルを表示しようとする場合に、映像コンテンツ供給装置１１５からサムネイルを前から順に取得していくようにすると、次の再生時点以降のサムネイルの取得が間に合わずに、再生時点が進んでしまうことがある。この場合には、図３に示したような再生時点に対応したサムネイルを表示することができない。また、仮に、全てのサムネイルを取得できたとしても、全てのサムネイルを順に変更していくと、サムネイルがめまぐるしく移り変わっていくため、ユーザーにとって視認しづらい。
【００５９】
そこで、本実施の形態に係る映像表示装置１０１では、ステップＳ６（図４）に係るサムネイルの選択・取得が以下のように行われることにより、このような問題を解決することが可能となっている。
【００６０】
図５は、ステップＳ６での動作を説明するための図である。この図では、映像コンテンツのシーンと、シーンと１対１で対応するサムネイルとを、映像コンテンツ上の時間（以下「映像時間」と呼ぶこともある）の順に並べることによって得られる時系列が示されている。本実施の形態では、サムネイル管理部１０６が、サムネイルリスト３０１に基づいて、図５に示すような時系列を形成する。
【００６１】
サムネイル管理部１０６は、この時系列を参照しつつ、現在の再生時点及び再生速度に基づいて、映像コンテンツの、現在の再生時点の次に再生されるべき次の再生時点以降のシーンについて、取得すべきサムネイルを選択する。
【００６２】
本実施の形態では、サムネイル管理部１０６は、現在の再生時点を基準とし、それ以降の映像時間を、再生速度に基づく時間帯ごとに区切る。そして、サムネイル管理部１０６は、１つの時間帯に属するサムネイルの中から、取得すべきサムネイルを１つ選択する。以下、時間帯を、「サムネイル選択時間帯Ｔ」と呼び、その長さをｔとする。次に、本実施の形態において、サムネイル選択時間帯Ｔの長さｔをどのように規定しているかについて説明する。
【００６３】
まず、１枚のサムネイルを映像コンテンツ供給装置１１５から取得開始してから表示可能とするまでにかかる時間をｘ秒、一度に表示するサムネイルの枚数をｎ枚、映像コンテンツの再生速度をα倍（α＝１は通常の再生速度）とすると、ｎ枚のサムネイルを取得開始してから表示可能とするまでに、現実の時間においてｎ・ｘ秒かかる。このときには、現在の再生時点は、映像時間上において取得開始時に再生時点であった時点から、ｎ・ｘ・α秒後の時点（次の再生時点）に移動している。
【００６４】
ここで、図３に示したようなサムネイルの表示を行うことができない例について説明する。例えば、図５に示すように、現在の再生時点がシーンＳＣ１７にあるときに、上述の時間ｘを１秒、上述の枚数ｎを５枚、上述の再生速度αを６０倍とすると、映像時間上において、現在の再生時点から３００（＝ｎ・ｘ・α）秒進んだ時点が、次の再生時点となる。この場合に、サムネイルを現在の再生時点から順に取得すると、ｎ・ｘ秒後（現実の時間）には、５つのサムネイルＰ１８、Ｐ１９、Ｐ２０、Ｐ２１、Ｐ２２までしか取得されず、次の再生時点より後のサムネイルＰ２３等は取得されない。したがって、この場合には、次の再生時点より後のサムネイルの取得が間に合わないことから、図３に示したような再生時点を中心としたサムネイルの表示を行うことができない。この傾向は、現在の再生時点から次の再生時点までの間に存在するサムネイルが多くなればなるほど顕著となる。
【００６５】
そこで、次の再生時点を中心に概ねｎ・ｘ・α秒だけ前後する範囲内にある複数のシーンのサムネイルから、合計ｎ枚のサムネイルを事前に取得開始しておけば、当該次の再生時点において、それらサムネイルを表示することができる。つまり、現在の再生時点のシーンと、そこから２・ｎ・ｘ・α秒だけ離れた時点のシーンとの間にあるサムネイルを、合計ｎ枚となるように適切に間引いて、次の再生時点までに取得しておけば、当該次の再生時点において、再生時点を中心としたサムネイルの表示を行うことができる。
【００６６】
そこで、本実施の形態では、２・ｎ・ｘ・αをｎで割った値（２・ｘ・α）を、サムネイル選択時間帯Ｔの長さｔとする。つまり、本実施の形態では、サムネイル管理部１０６は、映像コンテンツの再生速度αに基づいて、サムネイルを選択すべきサムネイル選択時間帯Ｔの長さｔを変更するとともに、サムネイルのデコードにかかる時間ｘを加味してサムネイル選択時間帯Ｔの長さｔを変更する。
【００６７】
図６は、本実施の形態において、サムネイル管理部１０６がサムネイルの選択を示す図である。ここで、上述の例と同じように時間ｘを１秒、枚数ｎを５枚、再生速度αを６０倍とすると、サムネイル選択時間帯Ｔの長さｔは１２０秒となる。このサムネイル選択時間帯Ｔから１枚ずつサムネイルを取得することにより、図６に示すように、現在の再生時点から３００（＝ｎ・ｘ・α）秒後の時点である次の再生時点を中心とした５枚のサムネイルを取得することができる。
【００６８】
本実施の形態では、シーンＳＣ１７を早送りで再生中の場合、サムネイル管理部１０６は、現在の再生時点からｔ秒までを１番目のサムネイル選択時間帯Ｔとして、それに属するサムネイルを１つ取得する。なお、サムネイル管理部１０６は、複数のサムネイルが１つのサムネイル選択時間帯Ｔに属する場合には、当該複数のサムネイルの中から最も早い時点のシーンのサムネイルを選択する。そうすると、サムネイル管理部１０６は、１番目のサムネイル選択時間帯ＴからシーンＳＣ１８のサムネイルＰ１８を選択する。なお、ここでの説明では、サムネイル選択時間帯Ｔ内に完全に含まれるシーンを、サムネイル選択時間帯Ｔに属するシーンとしているが、これに限ったものではなく、サムネイル選択時間帯Ｔに一部が含まれるシーンを、サムネイル選択時間帯Ｔに属するシーンとしてもよい。
【００６９】
次に、現在の再生時点を基準にｔ秒から２ｔ秒までを２番目のサムネイル選択時間帯Ｔとして、それに属する最も早いシーンＳＣ２０のサムネイルＰ２０を選択する。さらに、同様にして、現在の再生時点を基準に２ｔ秒から３ｔ秒までを３番目のサムネイル選択時間帯ＴとしてシーンＳＣ２１のサムネイルＰ２１を選択し、現在の再生時点を基準に３ｔ秒から４ｔ秒までを４番目のサムネイル選択時間帯ＴとしてシーンＳＣ２３のサムネイルＰ２３を選択し、現在の再生時点を基準に４ｔ秒から５ｔ秒までを５番目のサムネイル選択時間帯ＴとしてシーンＳＣ２５のサムネイルＰ２５を選択する。
【００７０】
このように、取得すべきサムネイルを選択（制限）することにより、例えばネットワークの帯域が狭くても、次の再生時点以降のシーンのサムネイルを、次の再生時点までに取得することが可能となる。
【００７１】
図７は、以上で説明したステップＳ６の動作を示すフローチャートである。まず、ステップＳ１１にて、再生状態取得部１１７によって現在の再生時点及び再生速度が取得され、サムネイル管理部１０６に渡される。ステップＳ１２にて、サムネイル管理部１０６は、再生速度が通常再生である場合にはステップＳ１４に進み、再生速度が特殊再生である場合にはステップＳ１３に進む。ステップＳ１３にて、サムネイル管理部１０６は、再生速度等に基づいて２・ｘ・αを求めて、それをサムネイル選択時間帯Ｔの長さｔとして決定する。
【００７２】
ステップＳ１４にて、各サムネイル選択時間帯Ｔから、取得すべきサムネイルを１つ選択する。なお、ステップＳ１２からステップＳ１４に直接進んだ場合には、再生速度αの値を１とする長さｔ（＝２・ｘ）を有するサムネイル選択時間帯Ｔから、取得すべきサムネイルを１つ選択する。なお、本実施の形態では、上述したように、複数のサムネイルが１つのサムネイル選択時間帯Ｔに属する場合には、当該複数のサムネイルの中から最も早い時点のシーンのサムネイルが選択される。
【００７３】
ステップＳ１４により選択されたサムネイルを、後続のステップＳ８（図４）にて映像コンテンツの次の再生時点の映像に対応させて表示可能にすべく、ステップＳ１５にて、サムネイル取得部１５２が当該サムネイルを映像コンテンツ供給装置１１５から取得する。そして、図７に示される処理（図４に示されるステップＳ６）の処理が終了する。
【００７４】
以上のような本実施の形態に係る映像表示装置１０１及び映像表示方法によれば、現在の再生時点及び再生速度に基づいて、現在の再生時点の次に再生されるべき次の再生時点以降のシーンについてのサムネイルを選択し、当該選択したサムネイルを、映像コンテンツの次の再生時点の映像と表示可能に取得する。したがって、２０倍速、６０倍速などの特殊再生であっても、次の再生時点以降のシーンのサムネイルの取得を、次の再生時点までに間に合わせることができることから、再生時点以降のシーンのサムネイルを次の再生時点において表示することができる。つまり、図３に示すような、再生時点を中心としたサムネイルの表示を行うことができる。また、本実施の形態によれば、サムネイルを表示する場合に、時間間隔をあけて表示することも可能となる。したがって、モニター１１６に表示されているサムネイルの表示時間を長くすることができることから、特殊再生であっても、ユーザーが視認しやすい速度でサムネイルを表示することも可能である。
【００７５】
また、本実施の形態では、再生速度に基づいて、サムネイル選択時間帯Ｔの長さｔを変更する。したがって、サムネイル選択時間帯Ｔの長さｔを適切な長さにすることができ、現在の再生時点の次の再生時点以降のシーンについてのサムネイルを適切に選択・取得することができる。
【００７６】
また本実施の形態では、サムネイルのデコードにかかる時間ｘを加味してサムネイル選択時間帯Ｔの長さｔを変更する。したがって、サムネイル選択時間帯Ｔの長さｔを適切な長さにすることができ、現在の再生時点の次の再生時点以降のシーンについてのサムネイルを適切に選択・取得することができる。
【００７７】
なお、サムネイルのデコードにかかる時間ｘは、ネットワークの転送速度や、映像表示装置１０１においてデコード処理するのにかかる時間（デコード時間）によって決まる。そこで、映像表示装置１０１が、ネットワークに接続した際に転送速度を測定するようにしておく。一方、デコード時間はサムネイルのサイズによって決まる。そこで、映像表示装置１０１が、映像コンテンツの持つサムネイルのサイズの最大値を映像コンテンツ供給装置１１５から取得し、当該最大値に基づいてデコード時間を求めるようにしておく。以上により、映像表示装置１０１は、サムネイルのデコードにかかる時間ｘを取得することができる。なお、ここでは、時間ｘは変数としたが、これに限ったものではなく、転送速度及びサムネイルのサイズの最大値に基づいて求められる値を定数として用いてもよい。
【００７８】
また、本実施の形態では、複数のサムネイルが１つのサムネイル選択時間帯Ｔに属する場合には、当該複数のサムネイルの中から最も早い時点のシーンのサムネイルを選択する。したがって、サムネイルを選択する際の計算量が少なく済む。よって、組み込み機器に適した映像表示装置及び映像表示方法を実現することができる。
【００７９】
なお、以上においては、特殊再生が早送りである場合の動作について説明したが、早戻し、スキップ再生などその他特殊再生を行っている場合も、再生速度や再生方向を適宜変更すれば、早送りの場合の動作と同様に行うことができる。例えば、特殊再生が早戻しである場合には、再生速度に基づいてサムネイル選択時間帯Ｔの長さｔを決定し、現在の再生時点以前の映像時間を当該サムネイル選択時間帯Ｔ単位で区切って、１つのサムネイル選択時間帯Ｔに属するサムネイルの中から、取得すべきサムネイルを１つ選択するようにすればよい。
【００８０】
また、サムネイルリストと、取得済みのサムネイルとの照合結果に基づいて、サムネイル管理部１０６により選択されたサムネイルのうち、まだ取得されていないサムネイルのみを、サムネイル取得部１５２に取得させるようにすることが好ましい。この場合には、ネットワークでの無駄な通信を抑制することができる。
【００８１】
＜実施の形態２＞
実施の形態１に係る映像表示装置１０１においては、図６を用いて説明したように、複数のサムネイルが１つのサムネイル選択時間帯Ｔに属する場合には、当該複数のサムネイルの中から最も早い時点のシーンのサムネイルを選択した。その結果、図６に示すように、選択されるサムネイル同士の映像時間上での間隔Ａ１、Ａ２、Ａ３、Ａ４が不均一となることがある。この場合に、選択（取得）したサムネイルを早送りで表示すると、後のサムネイルとの間隔Ａ１が広いサムネイルＰ１８は長く表示されるのに対し、後のサムネイルとの間隔Ａ２が狭いサムネイルＰ２０はすぐ表示が切り替わる。つまり、映像コンテンツの映像が早送りなどの一定の速度で再生されているにもかかわらず、サムネイルが不規則な速度で移り変わっていくため、ユーザーは不自然な印象を受けることがある。また、映像コンテンツに含まれる映像を視覚的に把握するのに、サムネイル同士の時間間隔が不均一だと、多少分かりにくい。
【００８２】
そこで、本発明の実施の形態２に係る映像表示装置１０１では、選択すべきサムネイルの映像時間上での間隔を、一定間隔、つまり等間隔に近づけることが可能となっている。なお、以下、本実施の形態に係る映像表示装置１０１についての説明において、実施の形態１で説明した構成要素と類似するものについては同じ符号を付して説明を省略する。
【００８３】
図８及び図９は、本実施の形態に係るサムネイル管理部１０６の動作を示す図である。図８では、前のサムネイル選択時間帯Ｔにおいて選択されたサムネイルからｔ秒後の時点が、選択対象とするサムネイル選択時間帯Ｔの中点よりも「前」となる場合について示されている。一方、図９では、前のサムネイル選択時間帯Ｔで選択されたサムネイルからｔ秒後の時点が、選択対象とするサムネイル選択時間帯Ｔの中点よりも「後」となる場合について示されている。
【００８４】
まず、図８に示される状態に対する、本実施の形態に係るサムネイルの選択について説明する。サムネイル管理部１０６は、１番目のサムネイル選択時間帯Ｔの中点に最も近いサムネイルＰ１を、１番目のサムネイルとして選択する。
【００８５】
それから、現在の再生時点を基準にｔ秒から２ｔ秒までを２番目のサムネイル選択時間帯Ｔとする。そして、２番目のサムネイル選択時間帯Ｔの中点と、前に選択されたサムネイルＰ１からｔ秒後の時点との間の範囲を「ゾーンＺ１」とし、そのゾーンＺ１内に存在するサムネイルを、最初に選択すべき第１候補とする。ゾーンＺ１にサムネイルが存在しない場合には、サムネイル選択時間帯Ｔの中点からゾーンＺ１と反対側（ここでは後側）に、ゾーンＺ１と同じ長さを有する範囲を「ゾーンＺ２」とし、そのゾーンＺ２内に存在するサムネイルを、第１候補の次に選択すべき第２候補とする。
【００８６】
ゾーンＺ２にサムネイルが存在しない場合には、２番目のサムネイル選択時間帯ＴのゾーンＺ１側の境界上の時点（ここでは先頭時点ｔ）と、ゾーンＺ１との間の範囲を「ゾーンＺ３」とし、そのゾーンＺ３内に存在するサムネイルを、第２候補の次に選択すべき第３候補とする。ゾーンＺ３にサムネイルが存在しない場合には、２番目のサムネイル選択時間帯ＴのゾーンＺ２側の境界上の時点（ここでは後尾時点２ｔ）と、ゾーンＺ２との間の範囲を「ゾーンＺ４」とし、そのゾーンＺ４内に存在するサムネイルを、第３候補の次に選択すべき第４候補とする。
【００８７】
図９に示される状態に対しても、図８に示した場合と同様にしてサムネイルを選択する。まず、図９において、サムネイル管理部１０６は、１番目のサムネイル選択時間帯Ｔの中点に最も近いサムネイルＰ１を、１番目のサムネイルとして選択する。
【００８８】
それから、現在の再生時点を基準にｔ秒から２ｔ秒までを２番目のサムネイル選択時間帯Ｔとする。そして、２番目のサムネイル選択時間帯Ｔの中点と、前に選択されたサムネイルＰ１からｔ秒後の時点との間の範囲を「ゾーンＺ１」とし、そのゾーンＺ１内に存在するサムネイルを、最初に選択すべき第１候補とする。ゾーンＺ１にサムネイルが存在しない場合には、サムネイル選択時間帯Ｔの中点からゾーンＺ１と反対側（ここでは前側）に、ゾーンＺ１と同じ長さを有する範囲を「ゾーンＺ２」とし、そのゾーンＺ２内に存在するサムネイルを、第１候補の次に選択すべき第２候補とする。
【００８９】
ゾーンＺ２にサムネイルが存在しない場合には、２番目のサムネイル選択時間帯ＴのゾーンＺ１側の境界上の時点（ここでは後尾時点２ｔ）と、ゾーンＺ１との間の範囲を「ゾーンＺ３」とし、そのゾーンＺ３内に存在するサムネイルを、第２候補の次に選択すべき第３候補とする。ゾーンＺ３にサムネイルが存在しない場合には、２番目のサムネイル選択時間帯ＴのゾーンＺ２側の境界上の時点（ここでは先頭時点ｔ）と、ゾーンＺ２との間の範囲を「ゾーンＺ４」とし、そのゾーンＺ４内に存在するサムネイルを、第３候補の次に選択すべき第４候補とする。
【００９０】
サムネイル管理部１０６は、３番目、４番目、…のサムネイル選択時間帯Ｔについても、以上と同じ動作を行う。つまり、各サムネイル選択時間帯Ｔを４つのゾーンに区切り、サムネイル選択時間帯Ｔの中点と、前に選択されたサムネイルからｔ秒後の時点との相対関係に基づいて、サムネイルを選択すべき各ゾーンの位置関係を決定する。そして、サムネイル管理部１０６は、各ゾーンの候補順位に従って、１つのサムネイル選択時間帯Ｔから１つのサムネイルを選択する。
【００９１】
なお、以上の動作において、１つのゾーンに複数のサムネイルが存在する場合には、選択対象とするサムネイル選択時間帯Ｔの中点に最も近いサムネイルを選択する。また、サムネイル選択時間帯Ｔにサムネイルが全く存在しない場合には、前のサムネイル選択時間帯Ｔで選択されたサムネイルからｔ秒後の時点に最も近いサムネイルを選択する。
【００９２】
図１０は、以上のようなサムネイルの選択を、図５に示した時系列に対して適用したときの図である。この図から明らかなように、本実施の形態において選択されるサムネイル同士の間隔Ｂ１、Ｂ２、Ｂ３、Ｂ４、Ｂ５は、実施の形態１で選択されるサムネイル同士の間隔Ａ１、Ａ２、Ａ３、Ａ４、Ａ５よりも一定間隔、つまり等間隔に近づく。
【００９３】
このように、本実施の形態では、サムネイル管理部１０６は、１番目のサムネイル選択時間帯Ｔの中から選択すべきサムネイルの時点と、２番目のサムネイル選択時間帯Ｔの中から選択すべきサムネイルの時点との間隔を、一定間隔に近づける。同様に、サムネイル管理部１０６は、２番目のサムネイル選択時間帯Ｔの中から選択すべきサムネイルの時点と、３番目のサムネイル選択時間帯Ｔの中から選択すべきサムネイルの時点との間隔を、当該一定間隔に近づける。他のサムネイル選択時間帯Ｔにおいても同様である。
【００９４】
つまり、本実施の形態に係るサムネイル管理部１０６は、第１のサムネイル選択時間帯Ｔの中から選択すべき第１のサムネイルの時点と、第１のサムネイル選択時間帯Ｔと隣接する第２のサムネイル選択時間帯Ｔの中から選択すべき第２のサムネイルの時点との間隔を、一定間隔に近づける。
【００９５】
さて、本実施の形態に係る映像表示装置１０１の動作は、実施の形態１に係る映像表示装置１０１の動作を示す図７のフローチャートにおいて、ステップＳ１４だけ異なる。そこで、以下、本実施の形態に係る映像表示装置１０１のステップＳ１４の動作について説明する。
【００９６】
図１１は、本実施の形態に係るステップＳ１４の動作を示すフローチャートである。
【００９７】
まず、ステップＳ２１にて、サムネイル管理部１０６は、取得すべき１枚目のサムネイルを決定する。ここでは、１番目のサムネイル選択時間帯Ｔの中点に最も近いサムネイルを、１枚目のサムネイルとして選択する。それから、ステップＳ２２にてｍ＝２とする。
【００９８】
ステップＳ２３にて、サムネイル管理部１０６は、ｍ番目のサムネイル選択時間帯Ｔのうち、上述のゾーンＺ１にサムネイルが存在するかを判断する。存在すると判断した場合には、ステップＳ２４にて、サムネイル管理部１０６は、当該サムネイルをｍ番目のサムネイルとして選択し、その後ステップＳ３２に進む。存在しないと判断した場合には、ステップＳ２５に進む。
【００９９】
ステップＳ２５にて、サムネイル管理部１０６は、ｍ番目のサムネイル選択時間帯Ｔのうち、上述のゾーンＺ２にサムネイルが存在するかを判断する。存在すると判断した場合には、ステップＳ２６にて、サムネイル管理部１０６は、当該サムネイルをｍ番目のサムネイルとして選択し、その後ステップＳ３２に進む。存在しないと判断した場合には、ステップＳ２７に進む。
【０１００】
ステップＳ２７にて、サムネイル管理部１０６は、ｍ番目のサムネイル選択時間帯Ｔのうち、上述のゾーンＺ３にサムネイルが存在するかを判断する。存在すると判断した場合には、ステップＳ２８にて、サムネイル管理部１０６は、当該サムネイルをｍ番目のサムネイルとして選択し、その後ステップＳ３２に進む。存在しないと判断した場合には、ステップＳ２９に進む。
【０１０１】
ステップＳ２９にて、サムネイル管理部１０６は、ｍ番目のサムネイル選択時間帯Ｔのうち、上述のゾーンＺ４にサムネイルが存在するかを判断する。存在すると判断した場合には、ステップＳ３０にて、サムネイル管理部１０６は、当該サムネイルをｍ番目のサムネイルとして選択し、その後ステップＳ３２に進む。
【０１０２】
ゾーンＺ４においてもサムネイルが存在しなかった場合には、ステップＳ３１にて、サムネイル管理部１０６は、前に選択されたサムネイルからｔ秒後に最も近いサムネイルをｍ番目のサムネイルとして選択し、その後ステップＳ３２に進む。
【０１０３】
ステップＳ３２にて、ｍの値が、サムネイルを取得すべき合計枚数ｎと等しいかを判断する。等しいと判断した場合には、図１１に示される処理（図７に示されるステップＳ１４）の処理が終了する。なお、合計枚数ｎは、図１０に示される例ではｎ＝５であるが、それ以外の値、例えばｎ＝３やｎ＝７であってもよい。
【０１０４】
ステップＳ３２にて等しくないと判断された場合には、ステップＳ３３にてｍの値に１を加えた後、ステップＳ２３に戻る。
【０１０５】
以上のような本実施の形態に係る映像表示装置１０１及び映像表示方法によれば、選択された隣り合うサムネイル同士の間隔が一定間隔に近づく。したがって、表示されるサムネイルがほぼ一定速度で移り変わっていくので、ユーザーに自然な印象を与えることができる。また、映像コンテンツがどのような映像で構成されているかを視覚的に把握しやすくすることができる。
【符号の説明】
【０１０６】
１０１  映像表示装置、１０６  サムネイル管理部、１１３  ネットワークマネージャ、１１５  映像コンテンツ供給装置、１１６  モニター、１１７  再生状態取得部、１５１  映像コンテンツ再生部、１５２  サムネイル取得部、Ｔ  サムネイル選択時間帯。
【図１】
2013016946.tif 000003
【図２】
2013016946.tif 000004
【図３】
2013016946.tif 000005
【図４】
2013016946.tif 000006
【図５】
2013016946.tif 000007
【図６】
2013016946.tif 000008
【図７】
2013016946.tif 000009
【図８】
2013016946.tif 000010
【図９】
2013016946.tif 000011
【図１０】
2013016946.tif 000012
【図１１】
2013016946.tif 000013